(57)【要約】【課題】コネクタの任意数の空き穴に対応できる複数の埋め栓を有するプラグ構造体を提供する。【解決手段】合成樹脂またはゴム製のヘッド板11に、複数のヘッド部12を区画形成する分割溝部13を設ける。各ヘッド部12から、コネクタ14の複数の空き穴15に挿入可能な複数の埋め栓16を一体に突出成型する。複数のヘッド部12および埋め栓16は、縦方向および横方向に形成した分割溝部13を介して、マトリックス状に配置する。【選択図】図１
2010003540.tif 000002
【特許請求の範囲】
【請求項１】
複数のヘッド部に分割可能なヘッド板と、
このヘッド板の各ヘッド部から一体に突出成型されてコネクタの複数の空き穴に挿入可能な複数の埋め栓と
を具備したことを特徴とするプラグ構造体。
【請求項２】
ヘッド板に設けられて複数のヘッド部を区画形成する分割溝部
を具備したことを特徴とする請求項１記載のプラグ構造体。
【請求項３】
複数のヘッド部および埋め栓は、マトリックス状に配置された
ことを特徴とする請求項１または２記載のプラグ構造体。
【発明の詳細な説明】
【技術分野】
【０００１】
本発明は、コネクタの複数の空き穴に挿入可能なプラグ構造体に関する。
【背景技術】
【０００２】
標準用のハーネスのコネクタとオプション用のハーネスのコネクタがある。標準用のハーネスのコネクタには全ての穴にプラグが接続されているが、オプション用のハーネスのコネクタにはプラグが接続されない空き穴がある。プラグが接続されていないコネクタの空き穴には水などが入るおそれがあり、このおそれを防止するために埋め栓をそれぞれの空き穴に挿入している（例えば特許文献１参照）。
【特許文献１】特開平１１−１３５１９１号公報（第３−４頁、図１−２）
【発明の開示】
【発明が解決しようとする課題】
【０００３】
しかしながら、プラグが接続されていないコネクタの空き穴が多い場合は、全ての空き穴に埋め栓を挿入するのは、作業時間がかかり容易でないとともに、作業不良が発生しやすくなる。
【０００４】
また、プラグが接続されていないコネクタの空き穴の数は決まっておらず、単に複数の埋め栓を一体化しただけでは、対応できない場合がある。
【０００５】
本発明は、このような点に鑑みなされたもので、コネクタの任意数の空き穴に対応できる複数の埋め栓を有するプラグ構造体を提供することを目的とする。
【課題を解決するための手段】
【０００６】
請求項１に記載された発明は、複数のヘッド部に分割可能なヘッド板と、このヘッド板の各ヘッド部から一体に突出成型されてコネクタの複数の空き穴に挿入可能な複数の埋め栓とを具備したプラグ構造体である。
【０００７】
請求項２に記載された発明は、請求項１記載のプラグ構造体において、ヘッド板に設けられて複数のヘッド部を区画形成する分割溝部を具備したものである。
【０００８】
請求項３に記載された発明は、請求項１または２記載のプラグ構造体における複数のヘッド部および埋め栓が、マトリックス状に配置されたものである。
【発明の効果】
【０００９】
請求項１に記載された発明によれば、複数のヘッド部に分割可能なヘッド板の各ヘッド部から、コネクタの複数の空き穴に挿入可能な複数の埋め栓が突出されたので、プラグが接続されていないコネクタの空き穴数に応じた複数の埋め栓を付けた複数のヘッド部を一体的に分割することで、複数の埋め栓によりコネクタの複数の空き穴を同時に塞ぐことができ、コネクタの任意数の空き穴に短時間で確実に対応できる。
【００１０】
請求項２に記載された発明によれば、ヘッド板に複数のヘッド部を区画形成する分割溝部が設けられたので、この分割溝部に沿って任意数のヘッド部を容易に一体的に分割できる。
【００１１】
請求項３に記載された発明によれば、複数のヘッド部および埋め栓をマトリックス状に配置することで、プラグが接続されていないコネクタの空き穴が部分欠け状態に配置された場合にも、容易に対応できる。
【発明を実施するための最良の形態】
【００１２】
以下、本発明を、図１乃至図３に示された一実施の形態と、図４乃至図７に示された使用例を参照しながら詳細に説明する。
【００１３】
図１乃至図３はプラグ構造体10を示し、11は合成樹脂またはゴム製のヘッド板であり、このヘッド板11には、複数のヘッド部12を区画形成する分割溝部13が設けられている。
【００１４】
複数のヘッド部12に分割可能なヘッド板11の各ヘッド部12から、コネクタ14の複数の空き穴15に挿入可能な複数の埋め栓16が一体に突出成型されている。すなわち、各埋め栓16も合成樹脂またはゴムにより成型されている。
【００１５】
複数のヘッド部12および埋め栓16は、縦方向および横方向に形成された分割溝部13を介して、マトリックス状に配置されている。
【００１６】
そして、図１に示されるように、ヘッド板11から、プラグが接続されていないコネクタ14の空き穴15の数に応じた複数の埋め栓16を付けた複数のヘッド部12を、分割溝部13に沿って手などで引き千切る、または折れ割るようにして一体的に分割し、複数の埋め栓16をコネクタ14の複数の空き穴15に同時に挿入して、これらの埋め栓16により各空き穴15を密閉することで、これらの空き穴15に水、土などが入らないようにする。
【００１７】
図４は、ヘッド板11から２つのヘッド部12および埋め栓16を分割したものであり、図５は、ヘッド板11から５つのヘッド部12および埋め栓16を分割したものであり、図６は、ヘッド板11から６つのヘッド部12および埋め栓16を分割したものであり、図７は、ヘッド板11から７つのヘッド部12および埋め栓16を分割したものである。
【００１８】
図５または図７に示されるように、奇数のヘッド部12および埋め栓16を分割する場合は、縦方向および横方向の分割溝部13に沿ってカッタを入れ、マトリックス状に配置されたヘッド部12および埋め栓16の一部を切断すると良い。
【００１９】
図示された実施の形態によれば、複数のヘッド部12に分割可能なヘッド板11の各ヘッド部12から、コネクタ14の複数の空き穴15に挿入可能な複数の埋め栓16が突出されたので、プラグが接続されていないコネクタ14の空き穴15の数に応じた複数の埋め栓16を付けた複数のヘッド部12を一体的に分割することで、複数の埋め栓16によりコネクタ14の複数の空き穴15を同時に塞ぐことができ、コネクタ14の任意数の空き穴15に短時間で確実に対応できる。
【００２０】
また、ヘッド板11に複数のヘッド部12を区画形成する分割溝部13が設けられたので、この分割溝部13に沿って任意数のヘッド部12を容易に一体的に分割できる。
【００２１】
さらに、複数のヘッド部12および埋め栓16をマトリックス状に配置することで、プラグが接続されていないコネクタ14の空き穴15が部分欠け状態に配置された場合にも、容易に対応できる。
【００２２】
本発明は、コネクタ14の複数の空き穴15に挿入可能なプラグ構造体に利用可能である。
【図面の簡単な説明】
【００２３】
【図１】本発明に係るプラグ構造体の一実施の形態を示す斜視図である。
【図２】同上プラグ構造体の平面図である。
【図３】同上構造体の正面図である。
【図４】同上構造体から２つのヘッド部および埋め栓を分割した例の斜視図である。
【図５】同上構造体から５つのヘッド部および埋め栓を分割した例の斜視図である。
【図６】同上構造体から６つのヘッド部および埋め栓を分割した例の斜視図である。
【図７】同上構造体から７つのヘッド部および埋め栓を分割した例の斜視図である。
【符号の説明】
【００２４】
10    プラグ構造体
11    ヘッド板
12    ヘッド部
13    分割溝部
14    コネクタ
15    空き穴
16    埋め栓
【図１】
2010003540.tif 000003
【図２】
2010003540.tif 000004
【図３】
2010003540.tif 000005
【図４】
2010003540.tif 000006
【図５】
2010003540.tif 000007
【図６】
2010003540.tif 000008
【図７】
2010003540.tif 000009